(57)【特許請求の範囲】
【請求項１】
タンポンアプリケータからの放出と同時に、乾燥状態で膨張し、自由状態では放出直前よりも２５％ないし３００％大きい直径まで膨張する乾燥膨張性タンポン材であって、
カバー袋状物と、該カバー袋状物内に充填された繊維混合物とを備え、
前記カバー袋状物は、側面継ぎ目の接合部と、挿入末端の接合部と、取り出し末端の接合部とを備え、かつ、該取り出し末端の接合部がカバー袋状物の内側になって使用者の身体から離れるように、該カバー袋状物が裏返されており、
前記繊維混合物は、非吸収性繊維と吸収性繊維との混合比が、２５対７５ないし７０対３０の範囲であることを特徴とする乾燥膨張性タンポン材。
【請求項２】
前記挿入末端の接合部が、前記取り出し末端の接合部に対して反対側にあり、かつ、
該挿入末端の接合部が前記カバー袋状物の内方に押し込まれている請求項１に記載の乾燥膨張性タンポン材。
【請求項３】
前記側面継ぎ目の接合部が、前記カバー袋状物のひれ状のシールとして形成された後、該カバー袋状物が裏返されている請求項１又は２に記載の乾燥膨張性タンポン材。
【請求項４】
前記繊維混合物は、非吸収性繊維が４０％、吸収性繊維としてのレーヨン繊維が４２％、超吸収体が１８％の割合で混合された物である請求項１ないし３のいずれか一項に記載の乾燥膨張性タンポン材。
【請求項５】
前記超吸収体の形態が、粉末、顆粒、繊維、又はこれらの混合物である請求項４に記載の乾燥膨張性タンポン材。
【請求項６】
前記非吸収性繊維と前記吸収性繊維は、界面活性剤で処理されている請求項１ないし５のいずれか一項に記載の乾燥膨張性タンポン材。
【請求項７】
前記界面活性剤は、次に掲げる物質又は混合物から選択された１つ又は複数である請求項６に記載の乾燥膨張性タンポン材。
アルコールエトキシレート、アルキルフェノールエトキシレート、カルボン酸エステル、エトキシ化アンヒドロソルビタールエステル、グリセロールエステル、ポリ（オキシエチレン−コ−オキシプロピレン）系界面活性剤、ポリオキシエチレン脂肪酸アミン、ポリオキシエチレン脂肪酸エステル、及びこれらの混合物。
【請求項８】
請求項１ないし７のいずれか一項に記載の乾燥膨張性タンポン材を製造する方法であって、
前記繊維混合物を形成する工程と、
実質的に円筒形の前記カバー袋状物を用意する工程と、
該カバー袋状物をシールして、前記取り出し末端接合部を形成する工程と、
該取り出し末端接合部の形成後に、該カバー袋状物を裏返す工程と、
該カバー袋状物に前記繊維混合物を充填する工程とを有する、乾燥膨張性タンポン材を製造する方法。
【発明の詳細な説明】
【０００１】
【発明の属する技術分野】
本発明は一般に改良されたタンポン又はタンポン材（tampon pledget）に関する。さらに詳しくは、本発明はタンポンアプリケーターから排出されたときに、タンポン材が水分又は月経分泌物と接触する必要なしに、急速に膨張するタンポン材に関する。また、該タンポン材はうら返されたカバー袋状物をもちつ。全体として、本発明のタンポン材は改良された快適さ及び優れた吸収性をもつ。
【０００２】
【従来の技術】
タンポン材は典型的には使用前にタンポンアプリケーター中でタンポン材を作ったり、その中にいれる間に圧縮されそしてセットされる。通常のタンポン材では、タンポン材の繊維は、使用者の身体内にいったん置かれたならば水分又は月経分泌物との最初の接触によって著しく膨張するであろう。膨張を通して、タンポン材は使用者の身体の外形に適合する。従来、タンポン材は、快適さを達成するために膨張前にアプリケーターから放出され、使用者の身体内に配置されることが必要であると考えられていた。
【０００３】
非吸収性繊維がタンポン材に膨張を与えるために該タンポン材中で使用されてきた。しかしながら、そのようなタンポン材は本発明のタンポン材の予期され得なかった快適さを達成できなかった。率直に言って、ある製品では、改良された快適さは考慮されていなかったし、非吸収性繊維及び吸収性繊維の組合せによって、タンポン材において比較できるほどの吸収性及び十分なバイパス漏れからの保護をもたなかった。さらに、通常の吸収性繊維を含む、非吸収性繊維／吸収性繊維の正確な割合が改良された快適さ及び周知のタンポン材よりも優れている吸収性を与えることの正しい認識が欠除していた。
【０００４】
さらに、通常のタンポン材に吸収性物質を封じ込めるカバー袋状物の円筒物は典型的には該吸収性物質を全体的に封じ込めず、吸収性物質をタンポン材の末端で露出させる。しかしながら、吸収性物質を完全なままで維持するために、タンポン材の吸収性物質をカバー袋状物の円筒物で全体を囲み込むことが有利である。従って、カバー袋状物の円筒物の末端が集められ、硬いシール接合部領域を生ずる接着剤、熱、又は超音波等の方法によって接合される。この硬さは、特にタンポン材の挿入及び取り出しの際に不快感を与え、この場合硬いシール接合部領域は外陰部−膣管とすれ会うことになる。
【０００５】
【発明が解決しようとする課題】
本発明は水分又は月経分泌物の援助なしに急速に膨張するタンポン材を提供するものである。
【０００６】
本発明はまた改良された快適さをもち、周知のタンポン材と比較できる又はより優れた吸収性をもつタンポン材を提供するものである。
【０００７】
本発明はさらに複数個のの非吸収性物質及び複数個の吸収性物質をもつタンポン材を提供するものである。
【０００８】
本発明はさらに複数個の非吸収性物質及び吸収性物質がタンポン材中に一緒に分散されている、又は特定のパーセント比で一緒に混合されているタンポン材を提供するものである。
【０００９】
本発明はまたさらにカバー袋状物をもつことができるタンポン材を提供するものである。
【００１０】
本発明はまたさらにうら返され又は折り返されるカバー袋状物を提供するものである。
【００１１】
【課題を解決するための手段】
本発明のこれらの及び他の目的は水分又は月経分泌物の援助なしに膨張するタンポン材から提供される。本発明は、第１に、複数の非吸収性繊維、複数のレーヨン繊維及び超吸収体からなり、乾燥膨張性タンポン材を形成するために、該複数の非吸収性繊維が、レーヨン繊維及び超吸収体と、４０％の非吸収性繊維、４２％のレーヨン繊維及び１８％の超吸収体のパーセント比で混合されていることを特徴とするタンポンアプリケータからの放出と同時に膨張が乾燥状態で起こる乾燥膨張性タンポン材である。
上記発明の具体的態様を下記する。
複数のレーヨン繊維が０．５０〜３０デニールである上記のタンポン材。
複数のレーヨン繊維が１．１〜１．５デニールである上記のタンポン材。
超吸収体が繊維の形態である上記のタンポン材。
カバー袋状物をさらに有する上記のタンポン材。
カバー袋状物がうら返えされている上記のタンポン材。
表面活性剤をさらに含む上記のタンポン材。
表面活性剤が非イオン性表面活性剤である上記のタンポン材。
非イオン性表面活性剤が１以上のアルコールエトキシレート、アルキルフェノールエトキシレート、カルボン酸エステル、エトキシ化アンヒドロソルビタールエステル、グリセロールエステル、ポリ（オキシエチレン−コ−オキシプロピレン）系表面活性剤、ポリオキシエチレン脂肪酸アミン、ポリオキシエチレン脂肪酸エステル、及びこれらの混合物からなる群から選ばれる上記のタンポン材。
表面活性剤がポリオキシエチレン脂肪酸エステルである上記のタンポン材。
表面活性剤がポリソルベート２０である上記のタンポン材。
表面活性剤がタンポン材につき２０ｍｇ〜１４０ｍｇの量で存在する上記のタンポン材。
表面活性剤がタンポン材につき５０ｍｇの量で存在する上記のタンポン材。
芳香剤、臭気吸収剤、又はこれらの組合せをさらに含む上記のタンポン材。
本発明は、第２に、複数の非吸収性繊維、複数の吸収性繊維、及び吸収性繊維と非吸収性繊維との混合物と接する内側表面及び該内側表面の反対側に外側表面をもつ、うら返されたカバー袋状物からなり、該複数の非吸収性繊維及び該複数の吸収性繊維は一緒に混合されており、且つ乾燥膨張性タンポン材を形成するために、該複数の非吸収性繊維／該複数の吸収性繊維のパーセント比が２５／７５〜７０／３０であり、そして該カバー袋状物は挿入末端の接合部、取り出し末端の接合部及び側面つぎ目の接合部をもち、該取り出し末端の接合部は使用者の身体から離れるようにうら返されたカバー袋状物の内側にある、ことを特徴とするタンポンアプリケータからの放出と同時に膨張が乾燥状態で起こる乾燥膨張性タンポン材である。
上記発明の具体的態様を下記する。
パーセント比が４０／６０である上記のタンポン材。
側面つぎ目の接合部が外部ひれ状シールから形成されている上記のタンポン材。
側面つぎ目の接合部が使用者の身体から離れるようにうら返されたカバー袋状物の内側にある上記のタンポン材。
タンポン材が挿入末端及び該挿入末端と反対側に取り出し末端をもち、該挿入末端の接合部がタンポン材の取り出し末端の接合部に対して垂直の方向にあり、タンポン材の挿入末端の接合部の表面の内側にうら返されている上記のタンポン材。
本発明は、第３に、複数の非吸収性繊維、複数の吸収性繊維、吸収性繊維と非吸収性繊維との混合物と接する内側表面及び該内側表面の反対側に外側表面をもつ、うら返されたカバー袋状物、及び表面活性剤からなり、該複数の非吸収性繊維及び該複数の吸収性繊維は一緒に混合されており、且つ乾燥膨張性タンポン材を形成するために、該複数の非吸収性繊維／該複数の吸収性繊維のパーセント比が２５／７５〜７０／３０であり、そして該カバー袋状物は挿入末端の接合部、取り出し末端の接合部及び側面つぎ目の接合部をもち、該取り出し末端の接合部は使用者の身体から離れるようにうら返されたカバー袋状物の内側にある、ことを特徴とするタンポンアプリケータからの放出と同時に膨張が乾燥状態で起こる乾燥膨張性タンポン材である。
上記発明の具体的態様を下記する。
表面活性剤が１以上のアルコールエトキシレート、アルキルフェノールエトキシレート、カルボン酸エステル、エトキシ化アンヒドロソルビタールエステル、グリセロールエステル、ポリ（オキシエチレン−コ−オキシプロピレン）系表面活性剤、ポリオキシエチレン脂肪酸アミン、ポリオキシエチレン脂肪酸エステル、及びこれらの混合物からなる非イオン性表面活性剤の群から選ばれる上記のタンポン材。
表面活性剤がポリオキシエチレン脂肪酸エステルである上記のタンポン材。
表面活性剤がポリソルベート２０である上記のタンポン材。
表面活性剤がタンポン材につき２０ｍｇ〜１４０ｍｇの量で存在する上記のタンポン材。
表面活性剤がタンポン材につき５０ｍｇの量で存在する上記のタンポン材。
側面つぎ目の接合部が外部ひれ状シールから形成される上記のタンポン材。
外部ひれ状シールから形成される側面つぎ目の接合部が使用者の身体から離れるようにうら返されたカバー袋状物の内側ある上記のタンポン材。
芳香剤、臭気吸収剤、抗菌剤、又はこれらの組合せをさらに含む上記のタンポン材。
本発明は、第４に、タンポンアプリケータからの放出と同時に膨張が乾燥状態で起こるタンポン材を形成し；
実質的に円筒形のカバー袋状物を用意し；
該カバー袋状物の取り出し末端シールを形成し；
該取り出し末端シールの形成後に、該カバー袋状物をうら返し；そして
該カバー袋状物を複数個の非吸収性繊維及び吸収性繊維で満たす、各工程からなることを特徴とするタンポン材を製造する方法である。
上記発明の具体的態様を下記する。
挿入末端シールを形成し；
該挿入末端シールをうら返し；
取り出し用のひもを該取り出し末端シールに結び付け；そして
該タンポン材をタンポンアプリケーターよりも小さい直径に圧縮する、各工程をさらに含む上記の方法。
【００１２】
複数個の非吸収性物質はリボン、カットフィルム、高弾性繊維、又はこれらの組合せから作ることができる。複数個の吸収性物質は粉末、重合体ビーズ、顆粒、セルロース性繊維、超吸収剤及びこれらの組合せから作ることができる。
【００１３】
【発明の実施の形態】
本発明のタンポン材は乾燥膨張性又は急速ブルーミングタンポン材と呼ばれている。タンポン材の膨張は、膨張がその乾燥状態で完全に又は最初に生ずるようにタンポンアプリケーターからの放出と同時である。このように、水分又は月経分泌物はタンポン材を膨張させるために必要とされない。
【００１４】
乾燥状態中での本発明のタンポン材の膨張は、通常の又は周知の完全に圧縮されたタンポン材が水分又は月経分泌物と接触したときに発生する膨張よりもより急速に生ずる。基本的には、通常の又は周知のタンポン材の繊維を膨張させるために水分又は月経分泌物との接触を必要とする。これに対して、本発明のタンポン材の繊維を膨張させるために水分又は月経分泌物との接触を必要としない。従って、乾燥膨張は、タンポン材中の非吸収性物質の性質及び非吸収性物質／吸収性物質のパーセント比に基づいてタンポンアプリケターからの排出後直ちに生ずる。非吸収性物質は、５％伸張で測定したとき、約１０グラム／デニール〜約６０グラム／デニールの湿式引張り応力をもつ非吸収性物質から作られることが好ましい。
【００１５】
使用者の身体中への挿入後直ちに膨張することによって、本発明のタンポン材は改良された快適さをもつことが明らかにされた。
【００１６】
本発明のタンポン材の長さは従来の又は周知のタンポン材とほぼ同じ長さ、即ち約２インチである。膨張前の、本発明のタンポン材の直径もまた従来のタンポン材の直径とほぼ同じである。しかしながら、そのような従来のタンポン材と同じ長さ及び同じ最初の直径をもつ本発明のタンポン材は、タンポンアプリケーターから放出されるときに、そして任意の水分又は月経分泌物がタンポン材に吸収される前に、それ自身の作用で膨張する。タンポン綿材の膨張はそのような比較可能な従来のタンポン材の膨張よりもより大きい直径に膨張する。従って、膣の水分又は月経分泌物と接触する直前に、このタンポン材はその空間に膨張している。
【００１７】
本発明のタンポン材は非吸収性物質と吸収性物質との組合せ又は混合物である。この混合物は無定形混合物である。適当な非吸収性物質は例えばリボン、カットフィルム、高弾性繊維、及びこれらの組合せ等の物質から作ることができる。適当な吸収性物質は例えば粉末、重合体ビーズ、顆粒、セルロース性繊維、超吸収剤、及びこれらの組合せ等の物質から作ることができる。
【００１８】
好ましい形態では、吸収性物質及び非吸収性物質は一緒に分配される繊維から作られる。この分配は配合又は混合であることができる。この配合は任意の又は所望の配合であることができる。
【００１９】
また、分散は層状であってもよい。例えば、非吸収性繊維は吸収性繊維の２つの層の間に挟まれた１つの層であることができる。別法として、１つの層が非吸収性繊維でありそして他の１つの層が吸収性繊維である２つの層であることができる。
【００２０】
余り好ましくはない代法としては、非吸収性繊維がタンポン材のコアになる。この非吸収性繊維は吸収性繊維によって実質的に取り巻かれている。
【００２１】
非吸収性繊維はタンポン材の中心から外側へ吸収性繊維を促す。従って、非吸収性繊維はタンポン材の吸収性構造に高湿潤弾性又は弾力性を与えるために選択され得る。従って、非吸収性繊維は好ましくは巻き毛の、カールされた又はスプリング状の繊維である。
【００２２】
そのような非吸収性繊維はポリエステル、ポリプロピレン、ポリエチレン、アラミド、ナイロン、アクリル酸、２成分繊維、及びこれらの混合物である。ポリエステル繊維は４ＤＧ繊維の商標名でファイバー  イノヴェーション  テクノロジー（Fiber Innovation Technology, Inc.)によって市販されている。４ＤＧ繊維は繊維の縦軸に沿って深い溝又はチャンネルを生ずる独特の鋸歯状（crenulated) の横断面をもつ。好ましくは、非吸収性繊維は例えば４ＤＧ繊維を含むポリエステルである。
【００２３】
非吸収性繊維は、好ましくは、親水性仕上げをもつ。非吸収性繊維は約０．７５〜約３０デニール繊維であることが好ましい。より好ましくは、非吸収性繊維はデニール繊維の混合物である。好ましいタンポン材では、非吸収性繊維の混合物は６及び１９デニールである。非吸収性繊維が単一デニールであるとき、この繊維は１５デニールである。
【００２４】
吸収性繊維は、例えば、レーヨン、リオセル（lyocell)、木材パルプ、又は綿等の任意のセルロース繊維、又は、例えば、ポリアクリレート等の任意の超吸収剤であることができる。好ましい吸収性繊維はレーヨン、超吸収性繊維又は両繊維の組合せである。吸収性繊維は約０．５〜約３０デニールである。好ましくは、レーヨン繊維は約１．１〜約１．５デニールであり、超吸収材は約９デニールである。別法として、超吸収材は繊維よりもむしろ粉末形態又は顆粒形態であり得る。
【００２５】
本発明のより好ましいタンポン材では、タンポン材は４ＤＧ非吸収性繊維及びレーヨン繊維から作られる。
【００２６】
非吸収性繊維／吸収性繊維の割合は重要である。最適な膨張及び吸収性のために、非吸収性繊維／吸収性繊維のパーセント比は約２５／７５〜約７０／３０である。本発明のより好ましいタンポン材、即ち４ＤＧ及びレーヨン、では、非吸収性繊維／吸収性繊維のパーセント比は約４０／６０である。
【００２７】
本発明の別の形態では、タンポン材は４ＤＧ非吸収性繊維と、レーヨン及び超吸収性繊維の組合せとから作られる。超吸収性繊維を含むことは、吸収性繊維のただ１のタイプの選択に比べて性能を改良する上で重要であると思われる。
【００２８】
レーヨン／超吸収性繊維のパーセント比は約７０／３０である。従って、本発明の別の形態、即ち４ＤＧ、レーヨン及び超吸収性繊維（例えば、ポリアクリレート）では、非吸収性繊維／レーヨン／超吸収性繊維のパーセント比は約４０／４２／１８である。
【００２９】
本発明の繊維混合は表面活性剤を含むことができる。表面活性剤はアニオン性、カチオン性、非イオン性又は両性であることができる。表面活性剤は第１に処理助剤として役立つ。それはタンポン材に加えられ得る芳香剤を希釈し且つ分散させるために機能する。また、表面活性剤はタンポン材内への月経分泌物の均一な吸収を達成し得る。
【００３０】
非イオン性表面活性剤は、例えば、アルコールエトキシレート、アルキルフェノールエトキシレート、カルボン酸エステル、エトキシ化アンソルビタールエステル、グリセロールエステル、ポリ（オキシエチレン−コ−オキシプロピレン）系表面活性剤、ポリオキシエチレン脂肪酸アミン、ポリオキシエチレン脂肪酸エステル、及びこれらの混合物の１種以上であることができる。好ましい表面活性剤はポリオキシエチレン脂肪酸エステルである。１つのそのような好ましい表面活性剤はポリソルベート２０であり、商品名トウィーン２０で市販されている。添加される表面活性剤の量はタンポン材につき約２０ｍｇ〜約１４０ｍｇの間である。好ましくは、約５０ｍｇの表面活性剤がタンポン材につき添加される。
【００３１】
また、本発明のタンポン材は、例えば、芳香剤、臭気吸収剤、抗菌剤、及びこれらの組合せ等の付加的な添加剤を包含することもできる。
【００３２】
本発明のタンポン材は、該タンポン材の中心へうら返された挿入末端をもち、タンポン材アプリケーターへの挿入のために一定の程度までクランピングされ且つ圧縮される。この圧縮は、タンポン材がタンポンアプリケーター中で「スプリング入り（spring-loaded)」であるように、十分でなければならない。実際の例示によれば、もしタンポンアプリケター内径が約０．６００インチであるならば、タンポン材は、直径が約０．５９５インチ〜０．５８０インチである、０．６００インチより約０．００５インチ〜約０．０２０インチ小さい直径にまで圧縮されなければならない。タンポンアプリケターからいったん放出されると、タンポン材は急速に好ましくはうら返されたベル形の構造に膨張する。このベル形状のタンポン材の狭い末端がそれに結び付けられる取り出用のひもをもち、一方タンポン材の他の末端がこのベルの基部を形成する。
【００３３】
タンポンアプリケターからの放出後（及び流体又は月経分泌物との接触前）直ちに、このタンポン材はその最も広がったときに放出直前よりも約２５％〜約３００％大きい自由な直径をもつ。好ましくは、このタンポン材は、タンポンアプリケターからの放出後直ちに、その最も広がったときに放出直前よりも約２２５％大きい自由な直径をもつ。
【００３４】
また、タンポン材は、このベル形状の代わりに、もし挿入末端が始めにうら返されなけば、円筒形状に膨張し得る。
【００３５】
タンポン材は、好ましくは、非吸収性及び吸収性繊維の無定形混合を封じ込める、好ましくは完全に封じ込めるカバー袋状物内にある。このカバー袋状物は任意の通常の親水性のカバー袋状物である。しかしながら、このカバー袋状物は、例えば、表面活性剤で処理されたポリエチレン／ポリプロピレン２成分スパン結合カバー袋状物等の不織布性、熱シール可能なカバー袋状物が好ましくい。
【００３６】
図１及び３について説明する。タンポン材５の取り出しによって体験される不快さがカバー袋状物１２をうら返すこと（内側に折り返すこと）ことによって最小にされ得ることが明らかにされた。好ましい形態では、カバー袋状物１２は、縦に沿って存在するつぎ目によって円筒形状に巻かれ又は形成される得るカバー袋状物の平らなシートである。
【００３７】
図１、５及び６について説明する。カバー袋状物１２の側面つぎ目３０は平らなカバー袋状物を管状に巻くことによって作られる。この側面つぎ目３０は、例えば、接着剤、熱、又は超音波等の当業者に周知の任意の通常の方法によってシールされる。図５に示されている如く、もし側面つぎ目３０が重複したタイプのつぎ目３５であるならば、カバー袋状物の円筒物の内側にうら返すことによって外陰部−膣管との直接接触からこの硬いシールを取り除けない。
【００３８】
図６に示す本発明の好ましい形態では、外面のひれ状のシール４０がカバー袋状物の円筒物１２をうら返す前に形成される。硬いひれ状のシール４０はカバー袋状物の円筒物がうら返されることによって、カバー袋状物の円筒物１２の内側に完全に包み込まれる。このように、ひれ状のシール４０は外陰部−膣管と直接に接触することが避けられ、タンポン材５の挿入及び取り出しの際に使用者により優れた快適さ与える。
【００３９】
カバー袋状物の円筒物がいったん形成されると、取り出し末端（即ち、取り出し用のひもを受け取る端）のカバー袋状物は集められ、そして取り出し末端シール接合１５が形成される。カバー袋状物の円筒物１２を非吸収性及び吸収性繊維１０の混合物で満たす前に、そして取り出し末端のシール接合部１５の形成後に、カバー袋状物の円筒物１２がうら返される（内側に折り込まれる）。カバー袋状物の円筒物１２をうら返すことは、硬い取り出し末端シール接合部１５をカバー袋状物の円筒物の内側になるように配置させ、それによってその硬い取り出し末端シール接合部が外陰部−膣管と直接に接触することを避ける。結果として、使用者はタンポン材５を取り出すときにより優れた快適さを経験する。
【００４０】
図１及び２について説明する。カバー袋状物がいったんうら返され、そして繊維の混合物で満たされるとき、このカバー袋状物は挿入末端４５（即ち、取り出し末端の遠位末端）に集められ、挿入末端シールの接合部２５が形成される。タンポン材５の挿入末端４５で、集められたカバー袋状物の挿入末端のシール接合部２５は、取り出し末端のシール接合部１５と同じ程度の硬さをもち得る。これは、挿入末端のシール接合部２５が外陰部−膣管を摩擦するので、タンポン材５の挿入によって不快さを生じさせる。
【００４１】
本発明の好ましい形態では、挿入末端の結合部２５を、タンポン材の取り出し末端５０に対して垂直の方向に、タンポン材の挿入末端４５の表面内に折り込むことによって、挿入末端のシール接合部２５はもはや使用者の身体と接触しないようになる。それ故に、これは挿入の際に使用者に不快さを与えることなく又は不快さを最小にし得る。
【００４２】
本発明のタンポン材はタンポン材の取り出し末端に固定した取り出し用のひもを含む。この取り出し用のひもは、例えば、綿、レーヨン、ポリエステル、又はこれらの組合せ等の当業者に周知の任意の物質から作られる。さらに、この取り出し用のひもに適切な代わりの物質には、例えば、ナイロン、ポリプロピレン、及びこれらの組合せある。
【００４３】
もし物質が繊維形状であるならば、それはねん糸、編成、編組、かぎ針編み、又は製織によって取り出し用のひもに形成し得る。代用物として、取り出し用のひもは使用される物質から直接に単繊維のひもを紡ぐことによって形成し得る。取り出し用のひもは、例えば、取り出し用のひものウィッキング潜在能力を減少させるために、ワックス等の任意の抗ウィック（antiwick agent) 剤で処理され得る。
【００４４】
取り出し用のひもの横断面は必ずしも円形でなくてもよい。例えば、編まれたリボンの形態の様な、一般的な矩形の横断面もまた受け入れられる。
【００４５】
タンポン材の取り出しによって取り出し用のひもが破損することを避けるために、タンポン材に結び付けられたとき、取り出し用のひもの累積強さはタンポン材に取り出し用のひもをつなぎ止める強さに等しいか又はより強くあるべきである。
【００４６】
好ましい形態では、取り出し用のひもは１ヤードにつき約０．２〜約０．８ｇｍの線状の重量をもつ、抗ウィック処理され、撚られた（３〜８ストランド）綿である。
【００４７】
図１及び３について説明する。好ましい形態では、取り出し用のひも２０は取り出し末端のシール接合部１５に結びつけられる。さらに詳しくは、図４で説明するように、取り出し用のひも２０は輪でくくられ、軟らかくうら返されたカバー袋状物１２を通り、次いで取り出し末端のシール接合部１５の硬い且つ強い平らな領域を通る。取り出し用のひも２０は次いで軟らかくうら返されたカバー袋状物１２の反対側の後ろを通る。この輪は周囲に後ろに引っ張られ、取り出し用のひもの自由な端を輪の中を通過させて引結び２２を形成する。
【００４８】
図７及び８はカバー袋状物１２がうら返されていない本発明の別の結びの形態を示す。
【００４９】
本発明のタンポン材の固有の急速乾燥膨張によって、タンポン材は挿入によって使用者により速やかに適合する。また、膨張を引き起こすために水分がタンポン材と接触すること、タンポン材に吸収されることは必要ではない。タンポン材がより速やかに使用者に適合することによって改良された快適さを生ずることは明らかである。
【００５０】
非吸収性繊維、及び特に非吸収性／吸収性繊維のパーセント比、及び親水性の、熱接合された、２成分のカード化カバー袋状物をもつ本発明のタンポン材が、吸収性の損失なしにこの改良された快適さを達成し得ることは従来の製品からは予測され得なかったことである。例えば、１０２人の女性の実際の使用テストにおいて、コーテックス（Ｋｏｔｅｘ）（登録商標）セキュリティー（Ｓｅｃｕｒｉｔｙ）（登録商標）スパータンポンの２５％に比べて、４７％の女性が「身に付けるために気持ちがよい」との理由でむしろ本発明のタンポン材を好んだ。
【００５１】
本発明のタンポン材は周知のタンポン材と等しいか又はより優れた吸収性をもつことがまた明らかにされた。シンジナテスト（syngyna test）をＦＤＡ指定テスト方法、参照２１ＣＦＲ８０１．４３０、に従って実施した。下記に試験所で実施したシンジナテストの結果を示す。全てのテストタンポンは超吸収性の等級別をもった。
【００５２】
タンポン型 シンジナ吸収度（ｇｍ）
本発明の綿撒糸                                              １０．９
Ｋｏｔｅｘ  Ｓｅｃｕｒｉｔｙ                                １１．２
Ｐｌａｙｔｅｘ（登録商標）Ｓｉｌｋ  Ｇｌｉｄｅ（登録商標）  １０．４
Ｐｌａｙｔｅｘ  Ｇｅｎｔｌｅ  Ｇｌｉｄｅ（登録商標）        １０．１
Ｔａｍｐａｘ（登録商標）                                      ９．７
【００５３】
本発明に対する種々の変形が当業者ならば明らかであろう様に作られ得る。従って、上記記載が本発明のある種の好ましい形態の単なる説明であるこは当業者には自明であろう。
【図面の簡単な説明】
【図１】  本発明のタンポン材の部分平面図である。
【図２】  図１の本発明のタンポン材の挿入末端の拡大図である。
【図３】  図１の本発明のタンポン材の取り出し末端の拡大図である。
【図４】  ９０°回転した、図１の本発明のタンポン材の取り出し末端の拡大図である。
【図５】  代用のカバー袋状物の側面つぎ目の図１のラインＡ−Ａに沿った断面図である。
【図６】  本発明の好ましいカバー袋状物の側面つぎ目の図１のラインＡ−Ａに沿った断面図である。
【図７】  タンポン材の取り出し用のひもの部分平面図である。
【図８】  図７のタンポン材の取り出し用のひもの拡大図である。
【符号の説明】
５  タンポン材
１０  非吸収性及び吸収性繊維の混合物
１２  カバー袋状物の円筒物
１５  取り出し末端のシール接合部
２０  取り出し用のひも
２２  引結び
２５  挿入末端のシール接合部
３０  側面つぎ目
３５  重複した形のつぎ目
４０  外面のひれ状のシール
４５  タンポン材の挿入末端
５０  タンポン材の取り出し末端
【図１】
0004532049.tif 000002
【図２】
0004532049.tif 000003
【図３】
0004532049.tif 000004
【図５】
0004532049.tif 000005
【図６】
0004532049.tif 000006
【図４】
0004532049.tif 000007
【図７】
0004532049.tif 000008
【図８】
0004532049.tif 000009